(57)【要約】【課題】データ記憶領域の分散を図ることができる文書管理システムを提供する。【解決手段】サーバコンピュータ２側においては、任意の階層に応じた低解像度画像に係る圧縮符号を抽出し、抽出された低解像度画像に係る圧縮符号をネットワークを介してクライアントコンピュータ４に対して送信するとともに、全圧縮符号から任意の階層に応じた低解像度画像に係る圧縮符号を除いた高解像度画像に係る圧縮符号を記憶部１５に記憶する。一方、クライアントコンピュータ４側においては、ネットワークを介してサーバコンピュータ２から送信された任意の階層に応じた低解像度画像に係る圧縮符号を受信し、受信した低解像度画像に係る圧縮符号を記憶部１５に記憶する。これにより、データ記憶領域の分散を図ることができる。【選択図】　　　　図１１
2004056648.tif 000002
【特許請求の範囲】
【請求項１】
画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、
この低解像度画像データ抽出手段により抽出された低解像度画像に係る圧縮符号を他の画像処理装置に対して送信する低解像度画像データ送信手段と、
全圧縮符号から任意の階層に応じた低解像度画像に係る圧縮符号を除いた高解像度画像に係る圧縮符号を記憶部に記憶する高解像度画像データ記憶手段と、
を備える画像処理装置。
【請求項２】
画像を複数に分割したタイル毎に画素値を離散ウェーブレット変換し階層的に符号化した圧縮符号から抽出された任意の階層に応じた低解像度画像に係る圧縮符号を他の画像処理装置から受信する低解像度画像データ受信手段と、
この低解像度画像データ受信手段により受信した低解像度画像に係る圧縮符号を記憶部に記憶する低解像度画像データ記憶手段と、
を備える画像処理装置。
【請求項３】
画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、この低解像度画像データ抽出手段により抽出された低解像度画像に係る圧縮符号をネットワークを介して送信する低解像度画像データ送信手段と、全圧縮符号から任意の階層に応じた低解像度画像に係る圧縮符号を除いた高解像度画像に係る圧縮符号を記憶部に記憶する高解像度画像データ記憶手段と、を有するサーバコンピュータと、
このサーバコンピュータに前記ネットワークを介して接続され、前記サーバコンピュータから送信された低解像度画像に係る圧縮符号を受信する低解像度画像データ受信手段と、この低解像度画像データ受信手段により受信した低解像度画像に係る圧縮符号を記憶部に記憶する低解像度画像データ記憶手段と、を有するクライアントコンピュータと、
を備える文書管理システム。
【請求項４】
前記クライアントコンピュータ側で低解像度の画像を表示する場合には、前記クライアントコンピュータに記憶されている低解像度画像に係る圧縮符号を復号化して表示し、
前記クライアントコンピュータ側で高解像度の画像を表示する場合には、前記クライアントコンピュータに記憶されている所望の低解像度画像に係る圧縮符号に関連付けられた高解像度画像に係る圧縮符号を前記サーバコンピュータから取得し、これらの低解像度画像に係る圧縮符号と高解像度画像に係る圧縮符号とをマージして復号化した後に表示する請求項３記載の文書管理システム。
【請求項５】
前記クライアントコンピュータ側で低解像度の画像を印刷する場合には、前記クライアントコンピュータに記憶されている低解像度画像に係る圧縮符号を復号化して印刷し、
前記クライアントコンピュータ側で高解像度の画像を印刷する場合には、前記クライアントコンピュータに記憶されている所望の低解像度画像に係る圧縮符号に関連付けられた高解像度画像に係る圧縮符号を前記サーバコンピュータから取得し、これらの低解像度画像に係る圧縮符号と高解像度画像に係る圧縮符号とをマージして復号化した後に印刷する請求項３記載の文書管理システム。
【請求項６】
前記クライアントコンピュータからの指示により前記サーバコンピュータ側で高解像度の画像を印刷する場合には、前記クライアントコンピュータから前記サーバコンピュータに対して所望の低解像度画像に係る圧縮符号を送信し、前記クライアントコンピュータから取得した所望の低解像度画像に係る圧縮符号と、当該低解像度画像に係る圧縮符号に関連付けられた前記サーバコンピュータに記憶されている高解像度画像に係る圧縮符号とをマージして復号化した後に印刷する請求項３記載の文書管理システム。
【請求項７】
前記クライアントコンピュータからの指示により前記サーバコンピュータ側で高解像度の画像に基づいてデータ変換処理を行う場合には、前記クライアントコンピュータから前記サーバコンピュータに対して所望の低解像度画像に係る圧縮符号を送信し、前記クライアントコンピュータから取得した所望の低解像度画像に係る圧縮符号と、当該低解像度画像に係る圧縮符号に関連付けられた前記サーバコンピュータに記憶されている高解像度画像に係る圧縮符号とをマージして復号化した後にデータ変換処理を行う請求項３記載の文書管理システム。
【請求項８】
画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、この低解像度画像データ抽出手段により抽出された低解像度画像に係る圧縮符号をネットワークを介して送信する低解像度画像データ送信手段と、全圧縮符号を記憶部に記憶する全画像データ記憶手段と、を有するサーバコンピュータと、
このサーバコンピュータに前記ネットワークを介して接続され、前記サーバコンピュータから送信された低解像度画像に係る圧縮符号を受信する低解像度画像データ受信手段と、この低解像度画像データ受信手段により受信した低解像度画像に係る圧縮符号を記憶部に記憶する低解像度画像データ記憶手段と、を有するクライアントコンピュータと、
を備える文書管理システム。
【請求項９】
前記クライアントコンピュータからの指示により前記サーバコンピュータ側で高解像度の画像を印刷する場合には、前記クライアントコンピュータから前記サーバコンピュータに対して所望の低解像度画像に係る圧縮符号に関連付けられた識別番号を送信し、前記クライアントコンピュータから所望の低解像度画像に係る圧縮符号に関連付けられた識別番号を取得し、前記サーバコンピュータに記憶されている当該識別番号に関連付けられた全圧縮符号を復号化した後に印刷する請求項８記載の文書管理システム。
【請求項１０】
前記サーバコンピュータ側で高解像度の画像に基づいてデータ変換処理を行う場合には、前記クライアントコンピュータから前記サーバコンピュータに対して所望の低解像度画像に係る圧縮符号に関連付けられた識別番号を送信し、前記クライアントコンピュータから所望の低解像度画像に係る圧縮符号に関連付けられた識別番号を取得し、前記サーバコンピュータに記憶されている当該識別番号に関連付けられた全圧縮符号を復号化した後にデータ変換処理を行う請求項８記載の文書管理システム。
【請求項１１】
画像を複数に分割したタイル毎に画素値を離散ウェーブレット変換し階層的に符号化した圧縮符号から任意の階層に応じた低解像度画像に係る圧縮符号を抽出する低解像度画像データ抽出機能と、
この低解像度画像データ抽出機能により抽出された低解像度画像に係る圧縮符号をネットワークを介して送信する低解像度画像データ送信機能と、
全圧縮符号から任意の階層に応じた低解像度画像に係る圧縮符号を除いた高解像度画像に係る圧縮符号を記憶部に記憶する高解像度画像データ記憶機能と、
をコンピュータに実行させるプログラム。
【請求項１２】
画像を複数に分割したタイル毎に画素値を離散ウェーブレット変換し階層的に符号化した圧縮符号から抽出された任意の階層に応じた低解像度画像に係る圧縮符号をネットワークを介して受信する低解像度画像データ受信機能と、
この低解像度画像データ受信機能により受信した低解像度画像に係る圧縮符号を記憶部に記憶する低解像度画像データ記憶機能と、
をコンピュータに実行させるプログラム。
【請求項１３】
画像を複数に分割したタイル毎に画素値を離散ウェーブレット変換し階層的に符号化した圧縮符号から任意の階層に応じた低解像度画像に係る圧縮符号を抽出する低解像度画像データ抽出機能と、
この低解像度画像データ抽出機能により抽出された低解像度画像に係る圧縮符号をネットワークを介して送信する低解像度画像データ送信機能と、
全圧縮符号から任意の階層に応じた低解像度画像に係る圧縮符号を除いた高解像度画像に係る圧縮符号を記憶部に記憶する高解像度画像データ記憶機能と、
をコンピュータに実行させるプログラムを記憶しているコンピュータに読取り可能な記憶媒体。
【請求項１４】
画像を複数に分割したタイル毎に画素値を離散ウェーブレット変換し階層的に符号化した圧縮符号から抽出された任意の階層に応じた低解像度画像に係る圧縮符号をネットワークを介して受信する低解像度画像データ受信機能と、
この低解像度画像データ受信機能により受信した低解像度画像に係る圧縮符号を記憶部に記憶する低解像度画像データ記憶機能と、
をコンピュータに実行させるプログラムを記憶しているコンピュータに読取り可能な記憶媒体。
【発明の詳細な説明】
【０００１】
【発明の属する技術分野】
本発明は、画像処理装置、文書管理システム、プログラム及び記憶媒体に関する。
【０００２】
【従来の技術】
従来、サーバクライアントモデルのファイルサーバや文書管理システムにおいては、画像データはサーバコンピュータ側にまとめて蓄積されており、クライアントコンピュータは必要に応じてサーバコンピュータにアクセスして所望の画像データを引き取り、表示等の処理を行う構成とされている。この場合において、クライアントコンピュータは、サーバコンピュータに蓄積されている画像データを引き取り、クライアントコンピュータで画像の縮小処理等を行い、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等の表示装置に表示することが一般的な手法である。
【０００３】
【発明が解決しようとする課題】
しかしながら、このような場合には、サーバコンピュータからクライアントコンピュータ側に画像データを引き取ることによるネットワークトラフィックが発生し、処理時間が転送量に応じて必要となる。
【０００４】
そこで、このようなネットワークトラフィックの軽減を図るべく、サーバコンピュータ側では本体画像と共に、本体画像を縮小した表示専用画像（サムネイル画像）を記憶し、一覧表示のためにサムネイル画像をまず転送する方法がある。
【０００５】
ところが、このような方法によれば、サーバコンピュータ側で本体画像とは別にサムネイル画像を記憶部に記憶する必要があるため、記憶部のデータ記憶領域の使用量が増大してしまうという問題がある。
【０００６】
本発明の目的は、データ記憶領域の分散を図ることができる画像処理装置、文書管理システム、プログラム及び記憶媒体を提供することである。
【０００７】
本発明の目的は、ネットワークトラフィックを軽減することができる画像処理装置、文書管理システム、プログラム及び記憶媒体を提供することである。
【０００８】
【課題を解決するための手段】
請求項１記載の発明の画像処理装置は、画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、この低解像度画像データ抽出手段により抽出された低解像度画像に係る圧縮符号を他の画像処理装置に対して送信する低解像度画像データ送信手段と、全圧縮符号から任意の階層に応じた低解像度画像に係る圧縮符号を除いた高解像度画像に係る圧縮符号を記憶部に記憶する高解像度画像データ記憶手段と、を備える。
【０００９】
したがって、任意の階層に応じた低解像度画像に係る圧縮符号が抽出され、抽出された低解像度画像に係る圧縮符号が他の画像処理装置に対して送信されるとともに、全圧縮符号から任意の階層に応じた低解像度画像に係る圧縮符号を除いた高解像度画像に係る圧縮符号が記憶部に記憶される。これにより、他の画像処理装置の記憶部に低解像度画像に係る圧縮符号を記憶させるようにすれば、データ記憶領域の分散を図ることが可能になる。
【００１０】
請求項２記載の発明の画像処理装置は、画像を複数に分割したタイル毎に画素値を離散ウェーブレット変換し階層的に符号化した圧縮符号から抽出された任意の階層に応じた低解像度画像に係る圧縮符号を他の画像処理装置から受信する低解像度画像データ受信手段と、この低解像度画像データ受信手段により受信した低解像度画像に係る圧縮符号を記憶部に記憶する低解像度画像データ記憶手段と、を備える。
【００１１】
したがって、他の画像処理装置から送信された任意の階層に応じた低解像度画像に係る圧縮符号が受信され、受信された低解像度画像に係る圧縮符号が記憶部に記憶される。これにより、他の画像処理装置の記憶部に全圧縮符号から任意の階層に応じた低解像度画像に係る圧縮符号を除いた高解像度画像に係る圧縮符号を記憶させるようにすれば、データ記憶領域の分散を図ることが可能になる。
【００１２】
請求項３記載の発明の文書管理システムは、画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、この低解像度画像データ抽出手段により抽出された低解像度画像に係る圧縮符号をネットワークを介して送信する低解像度画像データ送信手段と、全圧縮符号から任意の階層に応じた低解像度画像に係る圧縮符号を除いた高解像度画像に係る圧縮符号を記憶部に記憶する高解像度画像データ記憶手段と、を有するサーバコンピュータと、このサーバコンピュータに前記ネットワークを介して接続され、前記サーバコンピュータから送信された低解像度画像に係る圧縮符号を受信する低解像度画像データ受信手段と、この低解像度画像データ受信手段により受信した低解像度画像に係る圧縮符号を記憶部に記憶する低解像度画像データ記憶手段と、を有するクライアントコンピュータと、を備える。
【００１３】
したがって、サーバコンピュータ側においては、任意の階層に応じた低解像度画像に係る圧縮符号が抽出され、抽出された低解像度画像に係る圧縮符号がネットワークを介してクライアントコンピュータに対して送信されるとともに、全圧縮符号から任意の階層に応じた低解像度画像に係る圧縮符号を除いた高解像度画像に係る圧縮符号が記憶部に記憶される。一方、クライアントコンピュータ側においては、ネットワークを介してサーバコンピュータから送信された任意の階層に応じた低解像度画像に係る圧縮符号が受信され、受信された低解像度画像に係る圧縮符号が記憶部に記憶される。これにより、サーバコンピュータの記憶部に全圧縮符号から任意の階層に応じた低解像度画像に係る圧縮符号を除いた高解像度画像に係る圧縮符号が記憶され、クライアントコンピュータの記憶部に低解像度画像に係る圧縮符号が記憶されることになるので、データ記憶領域の分散を図ることが可能になる。
【００１４】
請求項４記載の発明は、請求項３記載の文書管理システムにおいて、前記クライアントコンピュータ側で低解像度の画像を表示する場合には、前記クライアントコンピュータに記憶されている低解像度画像に係る圧縮符号を復号化して表示し、前記クライアントコンピュータ側で高解像度の画像を表示する場合には、前記クライアントコンピュータに記憶されている所望の低解像度画像に係る圧縮符号に関連付けられた高解像度画像に係る圧縮符号を前記サーバコンピュータから取得し、これらの低解像度画像に係る圧縮符号と高解像度画像に係る圧縮符号とをマージして復号化した後に表示する。
【００１５】
したがって、サムネイル表示のように低解像度の表示で間に合う場合には、クライアントコンピュータに記憶されている所望の低解像度画像に係る圧縮符号が復号化されて表示される。一方、拡大表示のように高解像度で一部を表示する場合にはサーバコンピュータに記憶されている高解像度画像に係る圧縮符号が取得され、クライアントコンピュータに記憶されている所望の低解像度画像に係る圧縮符号とマージした結果が復号化されて表示される。これにより、クライアントコンピュータ側で低解像度の画像を表示する場合にはクライアントコンピュータ側の負荷が軽減され、かつ、クライアントコンピュータ側での高解像度の画像表示の際のネットワークトラフィックが軽減される。
【００１６】
請求項５記載の発明は、請求項３記載の文書管理システムにおいて、前記クライアントコンピュータ側で低解像度の画像を印刷する場合には、前記クライアントコンピュータに記憶されている低解像度画像に係る圧縮符号を復号化して印刷し、前記クライアントコンピュータ側で高解像度の画像を印刷する場合には、前記クライアントコンピュータに記憶されている所望の低解像度画像に係る圧縮符号に関連付けられた高解像度画像に係る圧縮符号を前記サーバコンピュータから取得し、これらの低解像度画像に係る圧縮符号と高解像度画像に係る圧縮符号とをマージして復号化した後に印刷する。
【００１７】
したがって、低解像度の印刷で間に合う場合には、クライアントコンピュータに記憶されている所望の低解像度画像に係る圧縮符号が復号化されて印刷される。一方、高解像度で印刷する場合にはサーバコンピュータに記憶されている高解像度画像に係る圧縮符号が取得され、クライアントコンピュータに記憶されている所望の低解像度画像に係る圧縮符号とマージした結果が復号化されて印刷される。これにより、クライアントコンピュータ側で低解像度の画像を印刷する場合にはクライアントコンピュータ側の負荷が軽減され、かつ、クライアントコンピュータ側での高解像度の画像印刷の際のネットワークトラフィックが軽減される。
【００１８】
請求項６記載の発明は、請求項３記載の文書管理システムにおいて、前記クライアントコンピュータからの指示により前記サーバコンピュータ側で高解像度の画像を印刷する場合には、前記クライアントコンピュータから前記サーバコンピュータに対して所望の低解像度画像に係る圧縮符号を送信し、前記クライアントコンピュータから取得した所望の低解像度画像に係る圧縮符号と、当該低解像度画像に係る圧縮符号に関連付けられた前記サーバコンピュータに記憶されている高解像度画像に係る圧縮符号とをマージして復号化した後に印刷する。
【００１９】
したがって、クライアントコンピュータからの指示によりサーバコンピュータ側で高解像度の画像を印刷する場合には、クライアントコンピュータからサーバコンピュータに対して低解像度画像に係る圧縮符号が送信され、サーバコンピュータに記憶されている高解像度画像に係る圧縮符号とマージした結果が復号化されて印刷される。これにより、クライアントコンピュータからの指示によりサーバコンピュータ側での高解像度の画像印刷が可能になるとともに、クライアントコンピュータに記憶されている低解像度画像に係る圧縮符号に印刷キーの意味を持たせることが可能になる。
【００２０】
請求項７記載の発明は、請求項３記載の文書管理システムにおいて、前記クライアントコンピュータからの指示により前記サーバコンピュータ側で高解像度の画像に基づいてデータ変換処理を行う場合には、前記クライアントコンピュータから前記サーバコンピュータに対して所望の低解像度画像に係る圧縮符号を送信し、前記クライアントコンピュータから取得した所望の低解像度画像に係る圧縮符号と、当該低解像度画像に係る圧縮符号に関連付けられた前記サーバコンピュータに記憶されている高解像度画像に係る圧縮符号とをマージして復号化した後にデータ変換処理を行う。
【００２１】
したがって、クライアントコンピュータからの指示によりサーバコンピュータ側で高解像度の画像に基づいてデータ変換処理を実行する場合には、クライアントコンピュータからサーバコンピュータに対して低解像度画像に係る圧縮符号が送信され、サーバコンピュータに記憶されている高解像度画像に係る圧縮符号とマージした結果が復号化されてデータ変換処理が実行される。これにより、クライアントコンピュータからの指示によりサーバコンピュータ側での高解像度の画像に基づくデータ変換処理の実行が可能になるとともに、クライアントコンピュータに記憶されている低解像度画像に係る圧縮符号にデータ変換処理キーの意味を持たせることが可能になる。
【００２２】
請求項８記載の発明の文書管理システムは、画像を複数に分割したタイル毎に画素値を離散ウェーブレット変換し階層的に符号化した圧縮符号から任意の階層に応じた低解像度画像に係る圧縮符号を抽出する低解像度画像データ抽出手段と、この低解像度画像データ抽出手段により抽出された低解像度画像に係る圧縮符号をネットワークを介して送信する低解像度画像データ送信手段と、全圧縮符号を記憶部に記憶する全画像データ記憶手段と、を有するサーバコンピュータと、このサーバコンピュータに前記ネットワークを介して接続され、前記サーバコンピュータから送信された低解像度画像に係る圧縮符号を受信する低解像度画像データ受信手段と、この低解像度画像データ受信手段により受信した低解像度画像に係る圧縮符号を記憶部に記憶する低解像度画像データ記憶手段と、を有するクライアントコンピュータと、を備える。
【００２３】
したがって、サーバコンピュータ側においては、任意の階層に応じた低解像度画像に係る圧縮符号が抽出され、抽出された低解像度画像に係る圧縮符号がネットワークを介してクライアントコンピュータに対して送信されるとともに、全圧縮符号が記憶部に記憶される。一方、クライアントコンピュータ側においては、ネットワークを介してサーバコンピュータから送信された任意の階層に応じた低解像度画像に係る圧縮符号が受信され、受信された低解像度画像に係る圧縮符号が記憶部に記憶される。これにより、サーバコンピュータの記憶部に全圧縮符号が記憶され、クライアントコンピュータの記憶部に低解像度画像に係る圧縮符号が記憶されることになるので、クライアントコンピュータの記憶部におけるデータ記憶領域に係る負荷を軽減することが可能になる。
【００２４】
請求項９記載の発明は、請求項８記載の文書管理システムにおいて、前記クライアントコンピュータからの指示により前記サーバコンピュータ側で高解像度の画像を印刷する場合には、前記クライアントコンピュータから前記サーバコンピュータに対して所望の低解像度画像に係る圧縮符号に関連付けられた識別番号を送信し、前記クライアントコンピュータから所望の低解像度画像に係る圧縮符号に関連付けられた識別番号を取得し、前記サーバコンピュータに記憶されている当該識別番号に関連付けられた全圧縮符号を復号化した後に印刷する。
【００２５】
したがって、クライアントコンピュータからの指示によりサーバコンピュータ側で高解像度の画像を印刷する場合には、クライアントコンピュータからサーバコンピュータに対して所望の低解像度画像に係る圧縮符号に関連付けられた識別番号が送信され、サーバコンピュータに記憶されている当該識別番号に関連付けられた全圧縮符号が復号化されて印刷される。これにより、クライアントコンピュータからの指示によりサーバコンピュータ側での高解像度の画像印刷が可能になるとともに、画像データ自体が流れることが無いので、ネットワークトラフィックを軽減することが可能になる。
【００２６】
請求項１０記載の発明は、請求項８記載の文書管理システムにおいて、前記サーバコンピュータ側で高解像度の画像に基づいてデータ変換処理を行う場合には、前記クライアントコンピュータから前記サーバコンピュータに対して所望の低解像度画像に係る圧縮符号に関連付けられた識別番号を送信し、前記クライアントコンピュータから所望の低解像度画像に係る圧縮符号に関連付けられた識別番号を取得し、前記サーバコンピュータに記憶されている当該識別番号に関連付けられた全圧縮符号を復号化した後にデータ変換処理を行う。
【００２７】
したがって、クライアントコンピュータからの指示によりサーバコンピュータ側で高解像度の画像に基づいてデータ変換処理を実行する場合には、クライアントコンピュータからサーバコンピュータに対して所望の低解像度画像に係る圧縮符号に関連付けられた識別番号が送信され、サーバコンピュータに記憶されている当該識別番号に関連付けられた全圧縮符号が復号化されてデータ変換処理が実行される。これにより、クライアントコンピュータからの指示によりサーバコンピュータ側での高解像度の画像に基づくデータ変換処理の実行が可能になるとともに、画像データ自体が流れることが無いので、ネットワークトラフィックを軽減することが可能になる。
【００２８】
請求項１１記載の発明のプログラムは、画像を複数に分割したタイル毎に画素値を離散ウェーブレット変換し階層的に符号化した圧縮符号から任意の階層に応じた低解像度画像に係る圧縮符号を抽出する低解像度画像データ抽出機能と、この低解像度画像データ抽出機能により抽出された低解像度画像に係る圧縮符号をネットワークを介して送信する低解像度画像データ送信機能と、をコンピュータに実行させる。
【００２９】
したがって、このプログラムをコンピュータに読み取らせることで、任意の階層に応じた低解像度画像に係る圧縮符号が抽出され、抽出された低解像度画像に係る圧縮符号が他の画像処理装置に対して送信されるとともに、全圧縮符号から任意の階層に応じた低解像度画像に係る圧縮符号を除いた高解像度画像に係る圧縮符号が記憶部に記憶される。これにより、他の画像処理装置の記憶部に低解像度画像に係る圧縮符号を記憶させるようにすれば、データ記憶領域の分散を図ることが可能になる。
【００３０】
請求項１２記載の発明のプログラムは、画像を複数に分割したタイル毎に画素値を離散ウェーブレット変換し階層的に符号化した圧縮符号から抽出された任意の階層に応じた低解像度画像に係る圧縮符号をネットワークを介して受信する低解像度画像データ受信機能と、この低解像度画像データ受信機能により受信した低解像度画像に係る圧縮符号を記憶部に記憶する低解像度画像データ記憶機能と、をコンピュータに実行させる。
【００３１】
したがって、このプログラムをコンピュータに読み取らせることで、他の画像処理装置から送信された任意の階層に応じた低解像度画像に係る圧縮符号が受信され、受信された低解像度画像に係る圧縮符号が記憶部に記憶される。これにより、他の画像処理装置の記憶部に全圧縮符号から任意の階層に応じた低解像度画像に係る圧縮符号を除いた高解像度画像に係る圧縮符号を記憶させるようにすれば、データ記憶領域の分散を図ることが可能になる。
【００３２】
請求項１３記載の発明のコンピュータに読取り可能な記憶媒体は、画像を複数に分割したタイル毎に画素値を離散ウェーブレット変換し階層的に符号化した圧縮符号から任意の階層に応じた低解像度画像に係る圧縮符号を抽出する低解像度画像データ抽出機能と、この低解像度画像データ抽出機能により抽出された低解像度画像に係る圧縮符号をネットワークを介して送信する低解像度画像データ送信機能と、をコンピュータに実行させるプログラムを記憶している。
【００３３】
したがって、この記憶媒体に記憶されたプログラムをコンピュータに読み取らせることで、任意の階層に応じた低解像度画像に係る圧縮符号が抽出され、抽出された低解像度画像に係る圧縮符号が他の画像処理装置に対して送信されるとともに、全圧縮符号から任意の階層に応じた低解像度画像に係る圧縮符号を除いた高解像度画像に係る圧縮符号が記憶部に記憶される。これにより、他の画像処理装置の記憶部に低解像度画像に係る圧縮符号を記憶させるようにすれば、データ記憶領域の分散を図ることが可能になる。
【００３４】
請求項１４記載の発明のコンピュータに読取り可能な記憶媒体は、画像を複数に分割したタイル毎に画素値を離散ウェーブレット変換し階層的に符号化した圧縮符号から抽出された任意の階層に応じた低解像度画像に係る圧縮符号をネットワークを介して受信する低解像度画像データ受信機能と、この低解像度画像データ受信機能により受信した低解像度画像に係る圧縮符号を記憶部に記憶する低解像度画像データ記憶機能と、をコンピュータに実行させるプログラムを記憶している。
【００３５】
したがって、この記憶媒体に記憶されたプログラムをコンピュータに読み取らせることで、他の画像処理装置から送信された任意の階層に応じた低解像度画像に係る圧縮符号が受信され、受信された低解像度画像に係る圧縮符号が記憶部に記憶される。これにより、他の画像処理装置の記憶部に全圧縮符号から任意の階層に応じた低解像度画像に係る圧縮符号を除いた高解像度画像に係る圧縮符号を記憶させるようにすれば、データ記憶領域の分散を図ることが可能になる。
【００３６】
【発明の実施の形態】
最初に、本発明の実施の形態の前提となる「階層符号化アルゴリズム」及び「ＪＰＥＧ２０００アルゴリズム」の概要について説明する。
【００３７】
図１は、ＪＰＥＧ２０００方式の基本となる階層符号化アルゴリズムを実現するシステムの機能ブロック図である。このシステムは、色空間変換・逆変換部１０１、２次元ウェーブレット変換・逆変換部１０２、量子化・逆量子化部１０３、エントロピー符号化・復号化部１０４、タグ処理部１０５の各機能ブロックにより構成されている。
【００３８】
このシステムが従来のＪＰＥＧアルゴリズムと比較して最も大きく異なる点の一つは変換方式である。ＪＰＥＧでは離散コサイン変換（ＤＣＴ：Ｄｉｓｃｒｅｔｅ　Ｃｏｓｉｎｅ　Ｔｒａｎｓｆｏｒｍ）を用いているのに対し、この階層符号化アルゴリズムでは、２次元ウェーブレット変換・逆変換部１０２において、離散ウェーブレット変換（ＤＷＴ：Ｄｉｓｃｒｅｔｅ　Ｗａｖｅｌｅｔ　Ｔｒａｎｓｆｏｒｍ）を用いている。ＤＷＴはＤＣＴに比べて、高圧縮領域における画質が良いという長所を有し、この点が、ＪＰＥＧの後継アルゴリズムであるＪＰＥＧ２０００でＤＷＴが採用された大きな理由の一つとなっている。
【００３９】
また、他の大きな相違点は、この階層符号化アルゴリズムでは、システムの最終段に符号形成を行うために、タグ処理部１０５の機能ブロックが追加されていることである。このタグ処理部１０５で、画像の圧縮動作時には圧縮データが符号列データとして生成され、伸長動作時には伸長に必要な符号列データの解釈が行われる。そして、符号列データによって、ＪＰＥＧ２０００は様々な便利な機能を実現できるようになった。例えば、ブロック・ベースでのＤＷＴにおけるオクターブ分割に対応した任意の階層（デコンポジション・レベル）で、静止画像の圧縮伸長動作を自由に停止させることができるようになる（後述する図３参照）。また、ひとつのファイルから低解像度画像（縮小画像）を取り出したり、画像の一部（タイリング画像）を取り出すことができるようになる。
【００４０】
原画像の入出力部分には、色空間変換・逆変換１０１が接続される場合が多い。例えば、原色系のＲ（赤）／Ｇ（緑）／Ｂ（青）の各コンポーネントからなるＲＧＢ表色系や、補色系のＹ（黄）／Ｍ（マゼンタ）／Ｃ（シアン）の各コンポーネントからなるＹＭＣ表色系から、ＹＵＶあるいはＹＣｂＣｒ表色系への変換又は逆変換を行う部分がこれに相当する。
【００４１】
次に、ＪＰＥＧ２０００アルゴリズムについて説明する。
【００４２】
カラー画像は、一般に、図２に示すように、原画像の各コンポーネント１１１（ここではＲＧＢ原色系）が、矩形をした領域によって分割される。この分割された矩形領域は、一般にブロックあるいはタイルと呼ばれているものであるが、ＪＰＥＧ２０００では、タイルと呼ぶことが一般的であるため、以下、このような分割された矩形領域をタイルと記述することにする（図２の例では、各コンポーネント１１１が縦横４×４、合計１６個の矩形のタイル１１２に分割されている）。このような個々のタイル１１２（図２の例で、Ｒ００，Ｒ０１，…，Ｒ１５／Ｇ００，Ｇ０１，…，Ｇ１５／Ｂ００，Ｂ０１，…，Ｂ１５）が、画像データの圧縮伸長プロセスを実行する際の基本単位となる。従って、画像データの圧縮伸長動作は、コンポーネントごと、また、タイル１１２ごとに、独立に行われる。
【００４３】
画像データの符号化時には、各コンポーネント１１１の各タイル１１２のデータが、図１の色空間変換・逆変換部１０１に入力され、色空間変換を施された後、２次元ウェーブレット変換部１０２で２次元ウェーブレット変換（順変換）が施されて、周波数帯に空間分割される。
【００４４】
図３には、デコンポジション・レベル数が３の場合の、各デコンポジション・レベルにおけるサブバンドを示している。すなわち、原画像のタイル分割によって得られたタイル原画像（０ＬＬ）（デコンポジション・レベル０）に対して、２次元ウェーブレット変換を施し、デコンポジション・レベル１に示すサブバンド（１ＬＬ，１ＨＬ，１ＬＨ，１ＨＨ）を分離する。そして引き続き、この階層における低周波成分１ＬＬに対して、２次元ウェーブレット変換を施し、デコンポジション・レベル２に示すサブバンド（２ＬＬ，２ＨＬ，２ＬＨ，２ＨＨ）を分離する。順次同様に、低周波成分２ＬＬに対しても、２次元ウェーブレット変換を施し、デコンポジション・レベル３に示すサブバンド（３ＬＬ，３ＨＬ，３ＬＨ，３ＨＨ）を分離する。図３では、各デコンポジション・レベルにおいて符号化の対象となるサブバンドを、網掛けで表してある。例えば、デコンポジション・レベル数を３としたとき、網掛けで示したサブバンド（３ＨＬ，３ＬＨ，３ＨＨ，２ＨＬ，２ＬＨ，２ＨＨ，１ＨＬ，１ＬＨ，１ＨＨ）が符号化対象となり、３ＬＬサブバンドは符号化されない。
【００４５】
次いで、指定した符号化の順番で符号化の対象となるビットが定められ、図１に示す量子化・逆量子化部１０３で対象ビット周辺のビットからコンテキストが生成される。
【００４６】
この量子化の処理が終わったウェーブレット係数は、個々のサブバンド毎に、「プレシンクト」と呼ばれる重複しない矩形に分割される。これは、インプリメンテーションでメモリを効率的に使うために導入されたものである。図４に示したように、一つのプレシンクトは、空間的に一致した３つの矩形領域からなっている。更に、個々のプレシンクトは、重複しない矩形の「コード・ブロック」に分けられる。これは、エントロピー・コーディングを行う際の基本単位となる。
【００４７】
ウェーブレット変換後の係数値は、そのまま量子化し符号化することも可能であるが、ＪＰＥＧ２０００では符号化効率を上げるために、係数値を「ビットプレーン」単位に分解し、画素あるいはコード・ブロック毎に「ビットプレーン」に順位付けを行うことができる。
【００４８】
ここで、図５はビットプレーンに順位付けする手順の一例を示す説明図である。図５に示すように、この例は、原画像（３２×３２画素）を１６×１６画素のタイル４つで分割した場合で、デコンポジション・レベル１のプレシンクトとコード・ブロックの大きさは、各々８×８画素と４×４画素としている。プレシンクトとコード・ブロックの番号は、ラスター順に付けられており、この例では、プレンシクトが番号０から３まで、コード・ブロックが番号０から３まで割り当てられている。タイル境界外に対する画素拡張にはミラーリング法を使い、可逆（５，３）フィルタでウェーブレット変換を行い、デコンポジション・レベル１のウェーブレット係数値を求めている。
【００４９】
また、タイル０／プレシンクト３／コード・ブロック３について、代表的な「レイヤ」構成の概念の一例を示す説明図も図５に併せて示す。変換後のコード・ブロックは、サブバンド（１ＬＬ，１ＨＬ，１ＬＨ，１ＨＨ）に分割され、各サブバンドにはウェーブレット係数値が割り当てられている。
【００５０】
レイヤの構造は、ウェーブレット係数値を横方向（ビットプレーン方向）から見ると理解し易い。１つのレイヤは任意の数のビットプレーンから構成される。この例では、レイヤ０，１，２，３は、各々、１，３，１，３のビットプレーンから成っている。そして、ＬＳＢ（Ｌｅａｓｔ　Ｓｉｇｎｉｆｉｃａｎｔ　Ｂｉｔ：最下位ビット）に近いビットプレーンを含むレイヤ程、先に量子化の対象となり、逆に、ＭＳＢ（Ｍｏｓｔ　Ｓｉｇｎｉｆｉｃａｎｔ　Ｂｉｔ：最上位ビット）に近いレイヤは最後まで量子化されずに残ることになる。ＬＳＢに近いレイヤから破棄する方法はトランケーションと呼ばれ、量子化率を細かく制御することが可能である。
【００５１】
図１に示すエントロピー符号化・復号化部１０４では、コンテキストと対象ビットから確率推定によって、各コンポーネント１１１のタイル１１２に対する符号化を行う。こうして、原画像の全てのコンポーネント１１１について、タイル１１２単位で符号化処理が行われる。最後にタグ処理部１０５は、エントロピー符号化・復号化部１０４からの全符号化データを１本の符号列データに結合するとともに、それにタグを付加する処理を行う。
【００５２】
図６には、この符号列データの１フレーム分の概略構成を示している。この符号列データの先頭と各タイルの符号データ（ｂｉｔ　ｓｔｒｅａｍ）の先頭にはヘッダ（メインヘッダ（Ｍａｉｎ　ｈｅａｄｅｒ）、タイル境界位置情報等であるタイルパートヘッダ（ｔｉｌｅ　ｐａｒｔ　ｈｅａｄｅｒ））と呼ばれるタグ情報が付加され、その後に、各タイルの符号化データが続く。なお、メインヘッダ（Ｍａｉｎ　ｈｅａｄｅｒ）には、符号化パラメータや量子化パラメータが記述されている。そして、符号列データの終端には、再びタグ（ｅｎｄ　ｏｆ　ｃｏｄｅｓｔｒｅａｍ）が置かれる。
【００５３】
一方、符号化データの復号化時には、画像データの符号化時とは逆に、各コンポーネント１１１の各タイル１１２の符号列データから画像データを生成する。この場合、タグ処理部１０５は、外部より入力した符号列データに付加されたタグ情報を解釈し、符号列データを各コンポーネント１１１の各タイル１１２の符号列データに分解し、その各コンポーネント１１１の各タイル１１２の符号列データ毎に復号化処理（伸長処理）を行う。このとき、符号列データ内のタグ情報に基づく順番で復号化の対象となるビットの位置が定められるとともに、量子化・逆量子化部１０３で、その対象ビット位置の周辺ビット（既に復号化を終えている）の並びからコンテキストが生成される。エントロピー符号化・復号化部１０４で、このコンテキストと符号列データから確率推定によって復号化を行い、対象ビットを生成し、それを対象ビットの位置に書き込む。このようにして復号化されたデータは周波数帯域毎に空間分割されているため、これを２次元ウェーブレット変換・逆変換部１０２で２次元ウェーブレット逆変換を行うことにより、画像データの各コンポーネントの各タイルが復元される。復元されたデータは色空間変換・逆変換部１０１によって元の表色系の画像データに変換される。
【００５４】
以上が、「ＪＰＥＧ２０００アルゴリズム」の概要である。
【００５５】
以下、本発明の第一の実施の形態について説明する。本実施の形態の画像処理装置は、そのコンピュータにインストールされるか、あるいは解釈されて実行される画像処理プログラムによって動作制御されて画像処理を実行する。本実施の形態では、そのような画像処理プログラムを記憶する記憶媒体も紹介する。
【００５６】
図７は、本実施の形態におけるシステム構築例を示す模式図である。
【００５７】
本実施の形態の文書管理システムでは、サーバコンピュータ２にＬＡＮ（Ｌｏｃａｌ　Ａｒｅａ　Ｎｅｔｗｏｒｋ）等のネットワーク３を介してクライアントコンピュータ４が複数台接続されたサーバクライアントシステム１を想定する。サーバコンピュータ２及びクライアントコンピュータ４は、本実施の形態の画像処理装置を実施するものである。このサーバクライアントシステム１は、スキャナやデジタルカメラ等の画像入力機器５及びプリンタ等の画像出力機器６をネットワーク３上でシェアし得る環境が整えられている。また、ネットワーク３上には、マルチファンクションペリフェラルと称されるＭＦＰ７が接続され、このＭＦＰ７が画像入力機器５や画像出力機器６として機能するように環境が構築されていても良い。
【００５８】
このようなサーバクライアントシステム１は、例えばイントラネット８を介して別のサーバクライアントシステム１とのデータ通信可能に構築され、インターネット通信網９を介して外部環境とデータ通信可能に構築されている。
【００５９】
サーバコンピュータ２は、文書管理サーバ２ａとデータ変換サーバ２ｂとで構成されている。文書管理サーバ２ａは、各種文書を画像データとして記憶する文書管理機能を発揮するものである。データ変換サーバ２ｂは、例えば画像データにＯＣＲ処理を施してテキストデータを抽出する等のデータ変換機能を発揮するものである。
【００６０】
図８は、本実施の形態における画像処理装置としてのサーバコンピュータ２及びクライアントコンピュータ４のモジュール構成図である。
【００６１】
サーバコンピュータ２及びクライアントコンピュータ４は、情報処理を行うＣＰＵ（Ｃｅｎｔｒａｌ　Ｐｒｏｃｅｓｓｉｎｇ　Ｕｎｉｔ）１１、情報を格納するＲＯＭ（Ｒｅａｄ　Ｏｎｌｙ　Ｍｅｍｏｒｙ）１２及びＲＡＭ（Ｒａｎｄｏｍ　Ａｃｃｅｓｓ　Ｍｅｍｏｒｙ）１３等の一次記憶装置１４、後述する圧縮符号を記憶する記憶部であるＨＤＤ（Ｈａｒｄ　Ｄｉｓｋ　Ｄｒｉｖｅ）１５等の二次記憶装置１６、情報を保管したり外部に情報を配布したり外部から情報を入手するためのＣＤ−ＲＯＭドライブ等のリムーバブルディスク装置１７、ネットワーク３を介して外部の他のコンピュータと通信により情報を伝達するためのネットワークインターフェース１８、処理経過や結果等を操作者に表示するＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等の表示装置１９、並びに操作者がＣＰＵ１１に命令や情報等を入力するためのキーボード２０、マウス等のポインティングディバイス２１等から構成されており、これらの各部間で送受信されるデータをバスコントローラ２２が調停して動作する。
【００６２】
このようなサーバコンピュータ２及びクライアントコンピュータ４では、ユーザが電源を投入するとＣＰＵ１１がＲＯＭ１２内のローダーというプログラムを起動させ、ＨＤＤ１５よりオペレーティングシステムというコンピュータのハードウェアとソフトウェアとを管理するプログラムをＲＡＭ１３に読み込み、このオペレーティングシステムを起動させる。このようなオペレーティングシステムは、ユーザの操作に応じてプログラムを起動したり、情報を読み込んだり、保存を行ったりする。オペレーティングシステムのうち代表的なものとしては、Ｗｉｎｄｏｗｓ（登録商標）、ＵＮＩＸ（登録商標）等が知られている。これらのオペレーティングシステム上で走る動作プログラムをアプリケーションプログラムと呼んでいる。
【００６３】
ここで、サーバコンピュータ２及びクライアントコンピュータ４は、アプリケーションプログラムとして、画像処理プログラムをＨＤＤ１５に記憶している。この意味で、ＨＤＤ１５は、画像処理プログラムを記憶する記憶媒体として機能する。
【００６４】
また、一般的には、サーバコンピュータ２及びクライアントコンピュータ４のＨＤＤ１５等の二次記憶装置１６にインストールされる動作プログラムは、ＣＤ−ＲＯＭやＤＶＤ−ＲＯＭ等の光情報記録メディアやＦＤ等の磁気メディア等に記録され、この記録された動作プログラムがＨＤＤ１５等の二次記憶装置１６にインストールされる。このため、ＣＤ−ＲＯＭ等の光情報記録メディアやＦＤ等の磁気メディア等の可搬性を有する記憶媒体も、画像処理プログラムを記憶する記憶媒体となり得る。さらには、画像処理プログラムは、例えばネットワークインターフェース１８を介して外部から取り込まれ、ＨＤＤ１５等の二次記憶装置１６にインストールされても良い。
【００６５】
サーバコンピュータ２及びクライアントコンピュータ４は、オペレーティングシステム上で動作する画像処理プログラムが起動すると、この画像処理プログラムに従い、ＣＰＵ１１が各種の演算処理を実行して各部を集中的に制御する。サーバコンピュータ２のＣＰＵ１１又はクライアントコンピュータ４のＣＰＵ１１が実行する各種の演算処理のうち、本実施の形態の特長的な処理について以下に説明する。
【００６６】
［画像記憶処理］
図９は、画像処理プログラムに従い画像処理装置であるサーバコンピュータ２及びクライアントコンピュータ４によって実行される画像記憶処理の流れを示すフローチャートである。
【００６７】
本実施の形態における画像記憶処理は、図９に示すように、一例として、サーバコンピュータ２がネットワークインターフェース１８を介して画像入力機器５又はＭＦＰ７から原画像を受信していることが前提となっている（ステップＳ１のＹ）。この場合、原画像は、デジタル化されたカラー画像である。
【００６８】
このような前提の下、まず、受信した原画像を「ＪＰＥＧ２０００アルゴリズム」に従って圧縮符号化する（ステップＳ２）。すなわち、原画像のＲ，Ｇ，Ｂの各コンポーネントの画像データは、１又は複数（通常は複数）のタイルに分割され、このタイルごとに階層的に圧縮符号化される。画像の「ＪＰＥＧ２０００アルゴリズム」に従った圧縮符号化については、図１で示した空間変換・逆変換部１０１、２次元ウェーブレット変換・逆変換部１０２、量子化・逆量子化部１０３、エントロピー符号化・復号化部１０４、タグ処理部１０５の説明において前述したので、ここでの説明は省略する。
【００６９】
次いで、低解像度画像に係る圧縮符号を抽出する（ステップＳ３：低解像度画像データ抽出手段）。図１０は「ＪＰＥＧ２０００アルゴリズム」に従って生成された圧縮符号の解像度モデルを示す説明図である。図１０に示すように、「ＪＰＥＧ２０００アルゴリズム」に従って生成された圧縮符号においては、一つの画像ファイル内で低解像度データと高解像度データとが分かれた状態になっている。そこで、ステップＳ３においては、「ＪＰＥＧ２０００アルゴリズム」に従って生成された圧縮符号から低解像度画像に係る圧縮符号のみを抽出する。なお、図１０では２種類の解像度だけを示しているが、実際には、全てのデータを１とすると、ＤＷＴにおけるオクターブ分割に対応した任意の階層（デコンポジション・レベル）に応じて、１／２，１／４，１／８，１／１６と複数の低解像度画像に係る圧縮符号を抽出することが可能である。
【００７０】
続いて、このようにして抽出された低解像度画像に係る圧縮符号を全てのクライアントコンピュータ４に対して送信するとともに（ステップＳ４：低解像度画像データ送信手段）、残りの高解像度画像に係る圧縮符号をサーバコンピュータ２のＨＤＤ１５に記憶する（ステップＳ５：高解像度画像データ記憶手段）。
【００７１】
なお、ステップＳ４及びステップＳ５においては、サーバコンピュータ２は、文書管理サーバ２ａが発揮する文書管理機能により、クライアントコンピュータ４に対して送信する低解像度画像に係る圧縮符号とサーバコンピュータ２のＨＤＤ１５に記憶する高解像度画像に係る圧縮符号とに対し、これらを関連付けるための識別番号であるＩＤをそれぞれ付与する。
【００７２】
一方、クライアントコンピュータ４は、低解像度画像に係る圧縮符号を受信すると（ステップＴ１のＹ：低解像度画像データ受信手段）、受信した低解像度画像に係る圧縮符号をクライアントコンピュータ４のＨＤＤ１５に記憶する（ステップＴ２：低解像度画像データ記憶手段）。
【００７３】
すなわち、図１１に示すように、サーバコンピュータ２のＨＤＤ１５には高解像度画像に係る圧縮符号が記憶され、クライアントコンピュータ４のＨＤＤ１５には低解像度画像に係る圧縮符号が記憶されることになる。したがって、従来はサーバ側に全ての画像データを記憶していたが、これをクライアントコンピュータ４とサーバコンピュータ２とに分散して記憶することにより、ディスク使用量の分散を図ることが可能になっている。
【００７４】
［クライアントコンピュータ４における画像表示処理］
次に、サーバコンピュータ２のＨＤＤ１５には高解像度画像に係る圧縮符号が記憶され、クライアントコンピュータ４のＨＤＤ１５には低解像度画像に係る圧縮符号が記憶されている状態（図１１参照）でのクライアントコンピュータ４における画像表示処理について説明する。
【００７５】
図１２は、画像処理プログラムに従い画像処理装置であるサーバコンピュータ２及びクライアントコンピュータ４によって実行されるクライアントコンピュータ４における画像表示処理の流れを示すフローチャートである。
【００７６】
本実施の形態のクライアントコンピュータ４における画像表示処理は、図１２に示すように、キーボード２０又はポインティングディバイス２１の操作によりオペレータ（クライアントコンピュータ４を操作するユーザ）が高解像度の画像の表示を所望した場合には（ステップＴ１１のＹ）、サーバコンピュータ２に対してサーバコンピュータ２のＨＤＤ１５に記憶されている高解像度画像に係る圧縮符号の送信を要求する（ステップＴ１２）。
【００７７】
サーバコンピュータ２は、高解像度画像に係る圧縮符号の送信についての要求信号を受信すると（ステップＳ１１のＹ）、クライアントコンピュータ４に対してサーバコンピュータ２のＨＤＤ１５に記憶されている高解像度画像に係る圧縮符号を送信する（ステップＳ１２）。
【００７８】
クライアントコンピュータ４は、サーバコンピュータ２のＨＤＤ１５に記憶されている高解像度画像に係る圧縮符号を取得すると（ステップＴ１３）、取得した高解像度画像に係る圧縮符号にクライアントコンピュータ４のＨＤＤ１５に記憶されている低解像度画像に係る圧縮符号をマージし（ステップＴ１４）、伸長処理（復号化処理）を実行する（ステップＴ１５）。圧縮符号の「ＪＰＥＧ２０００アルゴリズム」に従った伸長処理（復号化処理）については、図１で示した空間変換・逆変換部１０１、２次元ウェーブレット変換・逆変換部１０２、量子化・逆量子化部１０３、エントロピー符号化・復号化部１０４、タグ処理部１０５の説明において前述したので、ここでの説明は省略する（以降においても同様）。
【００７９】
そして、ＣＰＵ１１は、伸長処理されて生成された画像の画像データに対して所定の処理（変倍や切り取り等）を施した後（ステップＴ１６）、表示装置１９に表示する（ステップＴ１９）。
【００８０】
したがって、オペレータ（クライアントコンピュータ４を操作するユーザ）が高解像度の画像の表示を所望した場合には、サーバコンピュータ２のＨＤＤ１５に記憶されている高解像度画像に係る圧縮符号を取得して低解像度画像に係る圧縮符号をマージした後、伸長処理（復号化処理）することにより原画像と同等の高解像度の画像表示が可能となる。
【００８１】
一方、キーボード２０又はポインティングディバイス２１の操作によりオペレータ（クライアントコンピュータ４を操作するユーザ）が低解像度の画像の表示を所望した場合には（ステップＴ１１のＮ）、クライアントコンピュータ４のＨＤＤ１５に記憶されている低解像度画像に係る圧縮符号のみを取得し（ステップＴ１７）、この取得した低解像度画像に係る圧縮符号を伸長処理（復号化処理）した後（ステップＴ１８）、表示装置１９に表示する（ステップＴ１６）。
【００８２】
したがって、クライアントコンピュータ４側において低解像度表示（例えば、サムネイル表示等）を行う際には、クライアントコンピュータ４側で管理している低低解像度画像に係る圧縮符号のみを取得して伸長処理（復号化処理）することにより、ネットワークトラフィックを発生させず、かつ、表示のための変倍処理を不要とする等のメリットが生じる。
【００８３】
［クライアントコンピュータ４からの画像印刷処理］
次に、サーバコンピュータ２のＨＤＤ１５には高解像度画像に係る圧縮符号が記憶され、クライアントコンピュータ４のＨＤＤ１５には低解像度画像に係る圧縮符号が記憶されている状態（図１１参照）でのクライアントコンピュータ４からの画像印刷処理について説明する。
【００８４】
図１３は、画像処理プログラムに従い画像処理装置であるサーバコンピュータ２及びクライアントコンピュータ４によって実行されるクライアントコンピュータ４からの画像印刷処理の流れを示すフローチャートである。
【００８５】
本実施の形態のクライアントコンピュータ４からの画像印刷処理は、図１３に示すように、キーボード２０又はポインティングディバイス２１の操作によりオペレータ（クライアントコンピュータ４を操作するユーザ）が表示装置１９に表示されたサムネイル画像の一つをクリックすることで画像の印刷を所望した場合には、サーバコンピュータ２に対してサーバコンピュータ２のＨＤＤ１５に記憶されているクリックされた画像（低解像度画像）に対応する高解像度画像に係る圧縮符号の送信を要求する（ステップＴ２１）。
【００８６】
サーバコンピュータ２は、クリックされた画像（低解像度画像）に対応する高解像度画像に係る圧縮符号の送信についての要求信号を受信すると（ステップＳ２１のＹ）、クライアントコンピュータ４に対してサーバコンピュータ２のＨＤＤ１５に記憶されているクリックされた画像（低解像度画像）に対応する高解像度画像に係る圧縮符号をＩＤに基づいて検索して送信する（ステップＳ２２）。
【００８７】
クライアントコンピュータ４は、サーバコンピュータ２のＨＤＤ１５に記憶されているクリックされた画像（低解像度画像）に対応する高解像度画像に係る圧縮符号を取得すると（ステップＴ２２）、取得した高解像度画像に係る圧縮符号にクライアントコンピュータ４のＨＤＤ１５に記憶されているクリックされた画像（低解像度画像）に係る圧縮符号をマージし（ステップＴ２３）、伸長処理（復号化処理）を実行した後（ステップＴ２４）、プリンタ等の画像出力機器６やＭＦＰ７に出力する（ステップＴ２５）。
【００８８】
したがって、低解像度画像に係る圧縮符号のみを記憶しているクライアントコンピュータ４からの画像印刷においては高解像度画像に係る圧縮符号が必要となることから、サーバコンピュータ２のＨＤＤ１５に記憶されている高解像度画像に係る圧縮符号を取得して低解像度画像に係る圧縮符号をマージした後、伸長処理（復号化処理）することにより原画像と同等の高解像度の画像印刷が可能となる。
【００８９】
［クライアントコンピュータ４からの指示によるサーバコンピュータ２からの画像印刷処理］
次に、サーバコンピュータ２のＨＤＤ１５には高解像度画像に係る圧縮符号が記憶され、クライアントコンピュータ４のＨＤＤ１５には低解像度画像に係る圧縮符号が記憶されている状態（図１１参照）でのクライアントコンピュータ４からの指示によるサーバコンピュータ２からの画像印刷処理について説明する。
【００９０】
図１４は、画像処理プログラムに従い画像処理装置であるサーバコンピュータ２及びクライアントコンピュータ４によって実行されるクライアントコンピュータ４からの指示によるサーバコンピュータ２からの画像印刷処理の流れを示すフローチャートである。
【００９１】
本実施の形態のクライアントコンピュータ４からの指示によるサーバコンピュータ２からの画像印刷処理は、図１４に示すように、まず、オペレータ（クライアントコンピュータ４を操作するユーザ）によるキーボード２０又はポインティングディバイス２１の操作によって表示装置１９に表示されたサムネイル画像の一つをクリックすることで、サーバコンピュータ２に対してクライアントコンピュータ４のＨＤＤ１５に記憶されている所望の低解像度画像に係る圧縮符号を送信する（ステップＴ３１）。
【００９２】
サーバコンピュータ２は、クライアントコンピュータ４のＨＤＤ１５に記憶されているクリックされた画像（低解像度画像）に係る圧縮符号を取得すると（ステップＳ３１）、取得した低解像度画像に係る圧縮符号にサーバコンピュータ２のＨＤＤ１５に記憶されているクリックされた画像（低解像度画像）に対応する高解像度画像に係る圧縮符号をＩＤに基づいて検索してマージし（ステップＴ３２）、伸長処理（復号化処理）を実行した後（ステップＴ３３）、プリンタ等の画像出力機器６やＭＦＰ７に出力する（ステップＴ３４）。
【００９３】
したがって、クライアントコンピュータ４のＨＤＤ１５に記憶されているクリックされた画像（低解像度画像）に係る圧縮符号をサーバコンピュータ２に送り、サーバコンピュータ２のＨＤＤ１５に記憶されているクリックされた画像（低解像度画像）に対応する高解像度画像に係る圧縮符号とマージした後、伸長処理（復号化処理）することにより原画像と同等の高解像度の画像印刷が可能となる。この場合、クライアントコンピュータ４からサーバコンピュータ２に対して低解像度画像に係る圧縮符号を送ることになるので、ネットワークトラフィックを最小限に抑えることが可能になる。
【００９４】
また、クライアントコンピュータ４のＨＤＤ１５に記憶されている低解像度画像に係る圧縮符号は、クライアントコンピュータ４からの指示によるサーバコンピュータ２からの画像印刷のための印刷キーとして機能することになる。
【００９５】
［クライアントコンピュータ４からの指示によるサーバコンピュータ２でのデータ変換処理］
次に、サーバコンピュータ２のＨＤＤ１５には高解像度画像に係る圧縮符号が記憶され、クライアントコンピュータ４のＨＤＤ１５には低解像度画像に係る圧縮符号が記憶されている状態（図１１参照）でのクライアントコンピュータ４からの指示によるサーバコンピュータ２でのデータ変換処理について説明する。
【００９６】
図１５は、画像処理プログラムに従い画像処理装置であるサーバコンピュータ２及びクライアントコンピュータ４によって実行されるクライアントコンピュータ４からの指示によるサーバコンピュータ２でのデータ変換処理の流れを示すフローチャートである。
【００９７】
本実施の形態のクライアントコンピュータ４からの指示によるサーバコンピュータ２でのデータ変換処理は、図１５に示すように、まず、オペレータ（クライアントコンピュータ４を操作するユーザ）によるキーボード２０又はポインティングディバイス２１の操作によって表示装置１９に表示されたサムネイル画像の一つをクリックすることで、サーバコンピュータ２に対してクライアントコンピュータ４のＨＤＤ１５に記憶されている所望の低解像度画像に係る圧縮符号を送信する（ステップＴ４１）。
【００９８】
サーバコンピュータ２は、クライアントコンピュータ４のＨＤＤ１５に記憶されているクリックされた画像（低解像度画像）に係る圧縮符号を取得すると（ステップＳ４１）、取得した低解像度画像に係る圧縮符号にサーバコンピュータ２のＨＤＤ１５に記憶されているクリックされた画像（低解像度画像）に対応する高解像度画像に係る圧縮符号をＩＤに基づいて検索してマージし（ステップＳ４２）、伸長処理（復号化処理）を実行した後（ステップＳ４３）、データ変換処理を実行する（ステップＳ４４）。ステップＳ４４のデータ変換処理は、データ変換サーバ２ｂのデータ変換機能を用いて実行されるものであって、例えば、伸長処理（復号化処理）後の画像データにＯＣＲ処理を施してテキストデータを抽出する等の処理を実行する。また、テキストデータを抽出するとともに、当該テキストデータに基づいて全文検索データ抽出を行い、または、当該テキストデータに基づいてプレゼンテーション用画像（ＰＤＦ等）の作成を行うようにしても良い。
【００９９】
次に、本発明の第二の実施の形態について説明する。なお、第一の実施の形態において説明した部分と同一部分については同一符号を用い、説明も省略する。本実施の形態は、第一の実施の形態とは、サーバコンピュータ２のＨＤＤ１５に記憶される画像データの内容が異なるものである。
【０１００】
［画像記憶処理］
図１６は、画像処理プログラムに従い画像処理装置であるサーバコンピュータ２及びクライアントコンピュータ４によって実行される画像記憶処理の流れを示すフローチャートである。
【０１０１】
本実施の形態における画像記憶処理は、図１６に示すように、一例として、サーバコンピュータ２がネットワークインターフェース１８を介して画像入力機器５又はＭＦＰ７から原画像を受信していることが前提となっている（ステップＳ５１のＹ）。この場合、原画像は、デジタル化されたカラー画像である。
【０１０２】
このような前提の下、まず、受信した原画像を「ＪＰＥＧ２０００アルゴリズム」に従って圧縮符号化する（ステップＳ５２）。すなわち、原画像のＲ，Ｇ，Ｂの各コンポーネントの画像データは、１又は複数（通常は複数）のタイルに分割され、このタイルごとに階層的に圧縮符号化される。
【０１０３】
次いで、低解像度画像に係る圧縮符号を抽出し（ステップＳ５３：低解像度画像データ抽出手段）、抽出された低解像度画像に係る圧縮符号を全てのクライアントコンピュータ４に対して送信するとともに（ステップＳ５４：低解像度画像データ送信手段）、全圧縮符号（高解像度画像に係る圧縮符号及び低解像度画像に係る圧縮符号）をサーバコンピュータ２のＨＤＤ１５に記憶する（ステップＳ５５：全画像データ記憶手段）。
【０１０４】
なお、ステップＳ５４及びステップＳ５５においては、サーバコンピュータ２は、文書管理サーバ２ａが発揮する文書管理機能により、クライアントコンピュータ４に対して送信する低解像度画像に係る圧縮符号とサーバコンピュータ２のＨＤＤ１５に記憶する全圧縮符号（高解像度画像に係る圧縮符号及び低解像度画像に係る圧縮符号）とに対し、これらを関連付けるための識別番号であるＩＤをそれぞれ付与する。
【０１０５】
一方、クライアントコンピュータ４は、低解像度画像に係る圧縮符号を受信すると（ステップＴ５１のＹ：低解像度画像データ受信手段）、受信した低解像度画像に係る圧縮符号をクライアントコンピュータ４のＨＤＤ１５に記憶する（ステップＴ５２：低解像度画像データ記憶手段）。
【０１０６】
すなわち、図１７に示すように、サーバコンピュータ２のＨＤＤ１５には全圧縮符号（高解像度画像に係る圧縮符号及び低解像度画像に係る圧縮符号）が記憶され、クライアントコンピュータ４のＨＤＤ１５には低解像度画像に係る圧縮符号が記憶されることになる。
【０１０７】
［クライアントコンピュータ４からの指示によるサーバコンピュータ２からの画像印刷処理］
次に、サーバコンピュータ２のＨＤＤ１５には全圧縮符号（高解像度画像に係る圧縮符号及び低解像度画像に係る圧縮符号）が記憶され、クライアントコンピュータ４のＨＤＤ１５には低解像度画像に係る圧縮符号が記憶されている状態（図１７参照）でのクライアントコンピュータ４からの指示によるサーバコンピュータ２からの画像印刷処理について説明する。
【０１０８】
図１８は、画像処理プログラムに従い画像処理装置であるサーバコンピュータ２及びクライアントコンピュータ４によって実行されるクライアントコンピュータ４からの指示によるサーバコンピュータ２からの画像印刷処理の流れを示すフローチャートである。
【０１０９】
本実施の形態のクライアントコンピュータ４からの指示によるサーバコンピュータ２からの画像印刷処理は、図１８に示すように、まず、オペレータ（クライアントコンピュータ４を操作するユーザ）によるキーボード２０又はポインティングディバイス２１の操作によって表示装置１９に表示されたサムネイル画像の一つをクリックすることで、サーバコンピュータ２に対してクライアントコンピュータ４のＨＤＤ１５に記憶されている所望の低解像度画像に係る圧縮符号に関連付けられたＩＤを送信する（ステップＴ６１）。
【０１１０】
サーバコンピュータ２は、クライアントコンピュータ４のＨＤＤ１５に記憶されているクリックされた画像（低解像度画像）に係る圧縮符号に関連付けられたＩＤを取得すると（ステップＳ６１）、取得したＩＤに関連付けられたサーバコンピュータ２のＨＤＤ１５に記憶されている全圧縮符号を検索して取得し（ステップＳ６２）、伸長処理（復号化処理）を実行した後（ステップＳ６３）、プリンタ等の画像出力機器６やＭＦＰ７に出力する（ステップＳ６４）。
【０１１１】
したがって、クライアントコンピュータ４のＨＤＤ１５に記憶されているクリックされた画像（低解像度画像）に係る圧縮符号に関連付けられたＩＤをサーバコンピュータ２に送り、取得したＩＤに関連付けられたサーバコンピュータ２のＨＤＤ１５に記憶されている全圧縮符号を取得した後、伸長処理（復号化処理）することにより原画像と同等の高解像度の画像印刷が可能となる。この場合、クライアントコンピュータ４からサーバコンピュータ２に対して低解像度画像に係る圧縮符号に関連付けられたＩＤを送ることにより、画像データ自体が流れることが無いので、ネットワークトラフィックを軽減することが可能になる。
【０１１２】
また、クライアントコンピュータ４のＨＤＤ１５に記憶されている低解像度画像に係る圧縮符号に関連付けられたＩＤは、クライアントコンピュータ４からの指示によるサーバコンピュータ２からの画像印刷のための印刷キーとして機能することになる。
【０１１３】
［クライアントコンピュータ４からの指示によるサーバコンピュータ２でのデータ変換処理］
次に、サーバコンピュータ２のＨＤＤ１５には全圧縮符号（高解像度画像に係る圧縮符号及び低解像度画像に係る圧縮符号）が記憶され、クライアントコンピュータ４のＨＤＤ１５には低解像度画像に係る圧縮符号が記憶されている状態（図１７参照）でのクライアントコンピュータ４からの指示によるサーバコンピュータ２でのデータ変換処理について説明する。
【０１１４】
図１９は、画像処理プログラムに従い画像処理装置であるサーバコンピュータ２及びクライアントコンピュータ４によって実行されるクライアントコンピュータ４からの指示によるサーバコンピュータ２でのデータ変換処理の流れを示すフローチャートである。
【０１１５】
本実施の形態のクライアントコンピュータ４からの指示によるサーバコンピュータ２でのデータ変換処理は、図１９に示すように、まず、オペレータ（クライアントコンピュータ４を操作するユーザ）によるキーボード２０又はポインティングディバイス２１の操作によって表示装置１９に表示されたサムネイル画像の一つをクリックすることで、サーバコンピュータ２に対してクライアントコンピュータ４のＨＤＤ１５に記憶されている所望の低解像度画像に係る圧縮符号に関連付けられたＩＤを送信する（ステップＴ７１）。
【０１１６】
サーバコンピュータ２は、クライアントコンピュータ４のＨＤＤ１５に記憶されているクリックされた画像（低解像度画像）に係る圧縮符号に関連付けられたＩＤを取得すると（ステップＳ７１）、取得したＩＤに関連付けられたサーバコンピュータ２のＨＤＤ１５に記憶されている全圧縮符号を検索して取得し（ステップＳ７２）、伸長処理（復号化処理）を実行した後（ステップＳ７３）、データ変換処理を実行する（ステップＳ７４）。ステップＳ７４のデータ変換処理は、データ変換サーバ２ｂのデータ変換機能を用いて実行されるものであって、例えば、伸長処理（復号化処理）後の画像データにＯＣＲ処理を施してテキストデータを抽出する等の処理を実行する。また、テキストデータを抽出するとともに、当該テキストデータに基づいて全文検索データ抽出を行い、または、当該テキストデータに基づいてプレゼンテーション用画像（ＰＤＦ等）の作成を行うようにしても良い。
【０１１７】
なお、各実施の形態においては、サーバコンピュータ２で抽出された低解像度画像に係る圧縮符号を全てのクライアントコンピュータ４に対して送信し、低解像度画像に係る圧縮符号を全てのクライアントコンピュータ４のＨＤＤ１５に記憶するようにしたが、これに限るものではない。例えば、サーバコンピュータ２で抽出された低解像度画像に係る圧縮符号を所望のクライアントコンピュータ４のみに対して送信し、低解像度画像に係る圧縮符号を所望のクライアントコンピュータ４のＨＤＤ１５に記憶するようにしても良い。これにより、特定の画像の低解像度画像に係る圧縮符号を記憶するクライアントコンピュータ４のみが、特定の画像の高解像度表示や印刷等を行うことができるようになるので、秘密性が保証される。
【０１１８】
また、各実施の形態においては、サーバコンピュータ２がネットワークインターフェース１８を介して画像入力機器５又はＭＦＰ７から受信した原画像を「ＪＰＥＧ２０００アルゴリズム」に従って圧縮符号化した後に、低解像度画像に係る圧縮符号を抽出するようにしたが、これに限るものではない。例えば、既に「ＪＰＥＧ２０００アルゴリズム」に従って圧縮符号化された画像データ（圧縮符号）をインターネット通信網９を介してダウンロードし、このダウンロードした画像データ（圧縮符号）から低解像度画像に係る圧縮符号を抽出するようにしても良い。
【０１１９】
【発明の効果】
請求項１，１１，１３記載の発明によれば、任意の階層に応じた低解像度画像に係る圧縮符号を抽出し、抽出された低解像度画像に係る圧縮符号を他の画像処理装置に対して送信するとともに、全圧縮符号から任意の階層に応じた低解像度画像に係る圧縮符号を除いた高解像度画像に係る圧縮符号を記憶部に記憶することにより、他の画像処理装置の記憶部に低解像度画像に係る圧縮符号を記憶させるようにすれば、データ記憶領域の分散を図ることができる。
【０１２０】
請求項２，１２，１４記載の発明によれば、他の画像処理装置から送信された任意の階層に応じた低解像度画像に係る圧縮符号を受信し、受信された低解像度画像に係る圧縮符号を記憶部に記憶することにより、データ記憶領域の分散を図ることが可能になる。
【０１２１】
請求項３記載の発明によれば、サーバコンピュータ側においては、任意の階層に応じた低解像度画像に係る圧縮符号を抽出し、抽出された低解像度画像に係る圧縮符号をネットワークを介してクライアントコンピュータに対して送信するとともに、全圧縮符号から任意の階層に応じた低解像度画像に係る圧縮符号を除いた高解像度画像に係る圧縮符号を記憶部に記憶する。一方、クライアントコンピュータ側においては、ネットワークを介してサーバコンピュータから送信された任意の階層に応じた低解像度画像に係る圧縮符号を受信し、受信された低解像度画像に係る圧縮符号を記憶部に記憶することにより、サーバコンピュータの記憶部に全圧縮符号から任意の階層に応じた低解像度画像に係る圧縮符号を除いた高解像度画像に係る圧縮符号を記憶し、クライアントコンピュータの記憶部に低解像度画像に係る圧縮符号を記憶することになるので、データ記憶領域の分散を図ることができる。
【０１２２】
請求項４記載の発明によれば、請求項３記載の文書管理システムにおいて、サムネイル表示のように低解像度の表示で間に合う場合には、クライアントコンピュータに記憶されている所望の低解像度画像に係る圧縮符号を復号化して表示する。一方、拡大表示のように高解像度で一部を表示する場合には、サーバコンピュータに記憶されている高解像度画像に係る圧縮符号を取得し、クライアントコンピュータに記憶されている所望の低解像度画像に係る圧縮符号とマージした結果を復号化して表示することにより、クライアントコンピュータ側で低解像度の画像を表示する場合にはクライアントコンピュータ側の負荷を軽減することができ、かつ、クライアントコンピュータ側での高解像度の画像表示の際のネットワークトラフィックを軽減することができる。
【０１２３】
請求項５記載の発明によれば、請求項３記載の文書管理システムにおいて、低解像度の印刷で間に合う場合には、クライアントコンピュータに記憶されている所望の低解像度画像に係る圧縮符号を復号化して印刷する。一方、高解像度で印刷する場合には、サーバコンピュータに記憶されている高解像度画像に係る圧縮符号を取得し、クライアントコンピュータに記憶されている所望の低解像度画像に係る圧縮符号とマージした結果を復号化して印刷することにより、クライアントコンピュータ側で低解像度の画像を印刷する場合にはクライアントコンピュータ側の負荷を軽減することができ、かつ、クライアントコンピュータ側での高解像度の画像印刷の際のネットワークトラフィックを軽減することができる。
【０１２４】
請求項６記載の発明によれば、請求項３記載の文書管理システムにおいて、クライアントコンピュータからの指示によりサーバコンピュータ側で高解像度の画像を印刷する場合には、クライアントコンピュータからサーバコンピュータに対して低解像度画像に係る圧縮符号を送信し、サーバコンピュータに記憶されている高解像度画像に係る圧縮符号とマージした結果を復号化して印刷することにより、クライアントコンピュータからの指示によりサーバコンピュータ側での高解像度の画像を印刷することができるとともに、クライアントコンピュータに記憶されている低解像度画像に係る圧縮符号に印刷キーの意味を持たせることができる。
【０１２５】
請求項７記載の発明によれば、請求項３記載の文書管理システムにおいて、クライアントコンピュータからの指示によりサーバコンピュータ側で高解像度の画像に基づいてデータ変換処理を実行する場合には、クライアントコンピュータからサーバコンピュータに対して低解像度画像に係る圧縮符号を送信し、サーバコンピュータに記憶されている高解像度画像に係る圧縮符号とマージした結果を復号化してデータ変換処理を実行することにより、クライアントコンピュータからの指示によりサーバコンピュータ側での高解像度の画像に基づくデータ変換処理を実行することができるとともに、クライアントコンピュータに記憶されている低解像度画像に係る圧縮符号にデータ変換処理キーの意味を持たせることができる。
【０１２６】
請求項８記載の発明によれば、サーバコンピュータ側においては、任意の階層に応じた低解像度画像に係る圧縮符号を抽出し、抽出された低解像度画像に係る圧縮符号をネットワークを介してクライアントコンピュータに対して送信するとともに、全圧縮符号を記憶部に記憶する。一方、クライアントコンピュータ側においては、ネットワークを介してサーバコンピュータから送信された任意の階層に応じた低解像度画像に係る圧縮符号を受信し、受信された低解像度画像に係る圧縮符号を記憶部に記憶することにより、サーバコンピュータの記憶部に全圧縮符号を記憶し、クライアントコンピュータの記憶部に低解像度画像に係る圧縮符号を記憶することになるので、クライアントコンピュータの記憶部におけるデータ記憶領域に係る負荷を軽減することができる。
【０１２７】
請求項９記載の発明によれば、請求項８記載の文書管理システムにおいて、クライアントコンピュータからの指示によりサーバコンピュータ側で高解像度の画像を印刷する場合には、クライアントコンピュータからサーバコンピュータに対して所望の低解像度画像に係る圧縮符号に関連付けられた識別番号を送信し、サーバコンピュータに記憶されている当該識別番号に関連付けられた全圧縮符号を復号化して印刷することにより、クライアントコンピュータからの指示によりサーバコンピュータ側での高解像度の画像を印刷することができるとともに、画像データ自体が流れることが無いので、ネットワークトラフィックを軽減することができる。
【０１２８】
請求項１０記載の発明によれば、請求項８記載の文書管理システムにおいて、クライアントコンピュータからの指示によりサーバコンピュータ側で高解像度の画像に基づいてデータ変換処理を実行する場合には、クライアントコンピュータからサーバコンピュータに対して所望の低解像度画像に係る圧縮符号に関連付けられた識別番号を送信し、サーバコンピュータに記憶されている当該識別番号に関連付けられた全圧縮符号を復号化してデータ変換処理を実行することにより、クライアントコンピュータからの指示によりサーバコンピュータ側での高解像度の画像に基づくデータ変換処理を実行することができるとともに、画像データ自体が流れることが無いので、ネットワークトラフィックを軽減することができる。
【図面の簡単な説明】
【図１】本発明の実施の形態の前提となるＪＰＥＧ２０００方式の基本となる階層符号化アルゴリズムを実現するシステムの機能ブロック図である。
【図２】原画像の各コンポーネントの分割された矩形領域を示す説明図である。
【図３】デコンポジション・レベル数が３の場合の、各デコンポジション・レベルにおけるサブバンドを示す説明図である。
【図４】プレシンクトを示す説明図である。
【図５】ビットプレーンに順位付けする手順の一例を示す説明図である。
【図６】符号列データの１フレーム分の概略構成を示す説明図である。
【図７】本発明の第一の実施の形態のシステム構築例を示す模式図である。
【図８】画像処理装置のモジュール構成図である。
【図９】画像処理プログラムに従い画像処理装置によって実行される画像記憶処理の流れを示すフローチャートである。
【図１０】「ＪＰＥＧ２０００アルゴリズム」に従って生成された圧縮符号の解像度モデルを示す説明図である。
【図１１】高解像度画像に係る圧縮符号及び低解像度画像に係る圧縮符号の分散記憶状態を示す説明図である。
【図１２】クライアントコンピュータにおける画像表示処理の流れを示すフローチャートである。
【図１３】クライアントコンピュータからの画像印刷処理の流れを示すフローチャートである。
【図１４】クライアントコンピュータからの指示によるサーバコンピュータからの画像印刷処理の流れを示すフローチャートである。
【図１５】クライアントコンピュータからの指示によるサーバコンピュータでのデータ変換処理の流れを示すフローチャートである。
【図１６】本発明の第二の実施の形態の画像処理装置によって実行される画像記憶処理の流れを示すフローチャートである。
【図１７】高解像度画像に係る圧縮符号及び低解像度画像に係る圧縮符号の分散記憶状態を示す説明図である。
【図１８】クライアントコンピュータからの指示によるサーバコンピュータからの画像印刷処理の流れを示すフローチャートである。
【図１９】クライアントコンピュータからの指示によるサーバコンピュータでのデータ変換処理の流れを示すフローチャートである。
【符号の説明】
１　　　　文書管理システム
２　　　　画像処理装置、サーバコンピュータ
３　　　　ネットワーク
４　　　　画像処理装置、クライアントコンピュータ
１５　　　記憶部
【図１】
2004056648.tif 000003
【図２】
2004056648.tif 000004
【図３】
2004056648.tif 000005
【図４】
2004056648.tif 000006
【図５】
2004056648.tif 000007
【図６】
2004056648.tif 000008
【図７】
2004056648.tif 000009
【図８】
2004056648.tif 000010
【図９】
2004056648.tif 000011
【図１０】
2004056648.tif 000012
【図１１】
2004056648.tif 000013
【図１２】
2004056648.tif 000014
【図１３】
2004056648.tif 000015
【図１４】
2004056648.tif 000016
【図１５】
2004056648.tif 000017
【図１６】
2004056648.tif 000018
【図１７】
2004056648.tif 000019
【図１８】
2004056648.tif 000020
【図１９】
2004056648.tif 000021